(57)【要約】【課題】  献立に必要な食材の案内に関し、より詳細にはユーザが選んだ食材が献立に最適な材料であるかをチェックする食材案内システムおよび食材案内プログラムを提供することを目的とする。【解決手段】  カート端末において、ユーザが選択したメニューの材料リストを表示してユーザがカートに入れた食材の食材ＩＤを読み取り、適正食材であるかどうかを判定して適正食材である場合には表示している材料リストの該当する材料名の表示色を変え、そうでない場合はアラームを表示するよう構成する。【選択図】    図１
2006202054.tif 000002
【特許請求の範囲】
【請求項１】
ネットワークを介して接続されたストアサーバとカート端末とで構成する食材案内システムであって、
前記カート端末は、
前記ストアサーバからメニューリストを受信して表示し、該メニューリストを基にメニューを選択させるメニュー選択手段と、
前記選択されたメニューを前記ストアサーバに送信し、該ストアサーバから該メニューで使用する材料の材料情報を受信して該材料の材料リストを表示する材料リスト表示手段と、
カートに入れられた食材から食材ＩＤを取得し、該食材ＩＤを前記ストアサーバに送信して該食材ＩＤに対応する食材名を含む食材情報を受信する食材情報受信手段と、
受信した前記食材名が前記表示された材料リストにある場合に適正食材と判定し、該材料リストの該当する材料名の表示を強調表示とし、適正食材でない判定にはアラームを表示する適正食材判定手段と
を備えることを特徴とする食材案内システム。
【請求項２】
ネットワークを介して接続されたストアサーバとカート端末とで構成する食材案内システムであって、
前記ストアサーバは、
メニューに対応して使用する材料名を含む材料情報を備えたメニューＤＢを記憶するメニューＤＢ手段と、
食材ＩＤに対応して食材名を含む食材情報を備えた食材ＤＢを記憶する食材ＤＢ手段と、
前記カート端末からの要求に応じて前記メニューＤＢを参照してメニューリストを送信するメニューリスト送信手段と、
前記カート端末から送信されたメニューに応じて、前記メニューＤＢを参照して該メニューに対応する材料情報を該カート端末に送信する材料情報送信手段と、
前記カート端末から送信された食材ＩＤに応じて、前記食材ＤＢを参照して該食材ＩＤに対応する食材情報を該カート端末に送信する食材情報送信手段と、
を備えることを特徴とする食材案内システム。
【請求項３】
ネットワークを介して接続されたストアサーバとカート端末とで構成する食材案内システムであって、
前記カート端末は、
カートに入れられた第１の食材から食材ＩＤを取得して該第１の食材ＩＤを前記ストアサーバに送信し、該第１の食材ＩＤに対応する食材名を含む食材情報と該食材名を用いたメニューのメニューリストとを該ストアサーバから受信して表示するメニューリスト表示手段と、
前記表示したメニューリストからメニューを選択させ、選択されたメニューを前記ストアサーバに送信して該メニューで使用する材料の材料情報を受信して該材料の材料リストを表示する材料リスト表示手段と、
カートに入れられた第２の食材から食材ＩＤを取得し、該第２の食材ＩＤを前記ストアサーバに送信して該第２の食材ＩＤに対応する食材名を含む食材情報を受信する食材情報受信手段と、
受信した前記食材名が前記表示された材料リストにある場合に適正食材と判定し、該材料リストの該当する材料名の表示を強調表示とし、適正食材でない判定にはアラームを表示する適正食材判定手段と
を備えることを特徴とする食材案内システム。
【請求項４】
ネットワークを介して接続されたストアサーバとカート端末とで構成する食材案内システムであって、
前記ストアサーバは、
メニューに対応して使用する材料名を含む材料情報を備えたメニューＤＢを記憶するメニューＤＢ手段と、
食材ＩＤに対応して食材名を含む食材情報を備えた食材ＤＢを記憶する食材ＤＢ手段と、
前記カート端末から送信された第１の食材ＩＤに応じて、前記食材ＤＢを参照して該第１の食材ＩＤに対応する食材情報を該カート端末に送信する第１の食材情報送信手段と、
前記カート端末から送信されたメニューに応じて、前記メニューＤＢを参照して該メニューに対応する材料情報を該カート端末に送信する材料情報送信手段と、
前記カート端末から送信された第２の食材ＩＤに応じて、前記食材ＤＢを参照して該第２の食材ＩＤに対応する食材情報を該カート端末に送信する第２の食材情報送信手段と
を備えることを特徴とする食材案内システム。
【請求項５】
ネットワークを介して接続されたストアサーバとカート端末とで構成する食材案内システムにおける食材案内プログラムであって、
前記カート端末のコンピュータを、
前記ストアサーバからメニューリストを受信して表示し、該メニューリストを基にメニューを選択させるメニュー選択手段と、
前記選択されたメニューを前記ストアサーバに送信し、該ストアサーバから該メニューで使用する材料の材料リストを含む材料情報を受信して該材料リストを表示する材料リスト表示手段と、
カートに入れられた食材から食材ＩＤを取得し、該食材ＩＤを前記ストアサーバに送信して該食材ＩＤに対応する食材名を含む食材情報を受信する食材情報受信手段と、
受信した前記食材名が前記表示された材料リストにある場合に適正食材と判定し、該材料リストの該当する材料名の表示を強調表示とし、適正食材でない判定にはアラームを表示する適正食材判定手段と
として機能させるための食材案内プログラム。
【発明の詳細な説明】
【技術分野】
【０００１】
本発明は献立に必要な食材の案内に関し、より詳細にはユーザが選んだ食材が献立に最適な物であるかをチェックし、不適切な食材の購入防止を目的とした食材案内システムおよび食材案内プログラムに関する。
【背景技術】
【０００２】
家族や自身の食事の準備を行っているユーザは毎日の献立に頭を悩ませており、料理の本やインターネット上のＷｅｂサイトを利用して献立を決めることが多い。献立が決まると、その献立に必要な食材のメモをとって、スーパーマーケット等で食材の買い物を行うことが一般的に行われている。メモを見ながらの食材の買い物に際して、メモを詳細に取っておけばよいがそうでないとその献立に最適とはいえない食材を買ってしまうことがよくある。例えば、牛肉といっても部位により肉質は大きく異なり、選んだ献立に適している場合とそうでない場合とが多々あるからである。
【０００３】
このようなことから、食材の買い物を支援する特許文献１〜特許文献３の提案がなされている。
【０００４】
特許文献１は、利用者の家族構成を顧客データベースとして備え、利用者が料理データベースから選んだ献立に対して利用者の家族構成を参照し、家族全体に必要な食材の必要量を算出して買い物リストを提供する方法である。
【０００５】
特許文献２は、料理のデータベースを備え、料理メニューと各メニューに必要な材料、およびその材料の使用量を画面表示できる携帯型の電子式料理手帳を提案している。
【０００６】
特許文献３は、料理データベースから料理材料や調理方法等で検索された献立に対する買い物リストを表示させ、その中から購入済みの食材にチェックマークを付与する手段を設けた買い物支援装置を提案している。この買い物支援装置は実施例として携帯情報端末機器が提案されている。
【特許文献１】特開２００４−５６５４号公報
【特許文献２】特開平２−２８７５２号公報
【特許文献３】特開２００４−２５８９９５号公報
【発明の開示】
【発明が解決しようとする課題】
【０００７】
上記に述べたように、メモを見ながら食材の買い物を行うユーザが多いが、このメモを詳細に取っておかないと不適切な食材を買ってしまう場合があった。この問題を解決するものとして、上記に示す特許文献の提案では作成した買い物リストを見るか、携帯端末の画面上の材料リストを見ることで正確な食材を知ることができ、ユーザがメモを作成する必要はない。
【０００８】
しかし次に考えられることは、正確な材料リストを所持していたとしてもユーザがスーパーマーケットの棚に並べられた食材を不用意に選んでしまっては買い物に失敗してしまうことになる。
【０００９】
本発明は、この点の問題を解決するもので、ユーザが献立に不適切な食材を選んでも、その食材をチェックし適切な食材を案内する食材案内システムおよび食材案内プログラムを提供するものである。
【課題を解決するための手段】
【００１０】
本発明の食材案内システムおよび食材案内プログラムは、以下のように構成される。
（１）第１の発明
第１の発明は、食材案内システムのカート端末において、カートに入れられた食材がメニューの材料として適正であるかどうかをチェックする発明である。
【００１１】
図１は第１の発明の原理を示すもので、メニュー選択手段１、材料リスト表示手段２、食材情報受信手段３および適正食材判定手段４で構成する。
【００１２】
メニュー選択手段１は、ストアサーバからメニューリストを受信してカート端末の画面に表示し、表示したメニューリストを基にユーザにメニューを選択させる。
【００１３】
材料リスト表示手段２は、ユーザが選択したメニューをストアサーバに送信し、ストアサーバから送信したメニューに対応する材料情報を受信して材料リストの表示を行う。
【００１４】
食材情報受信手段３は、カートに入れられた食材から食材ＩＤを取得してストアサーバに送信し、ストアサーバから送られた食材ＩＤに対応する食材名を含む食材情報を受信する。
【００１５】
適正食材判定手段４は、受信した食材名が材料リストにあるかどうかを判定し、ある場合は適正食材としてその材料リストの該当する材料名を強調表示する。そうでない場合はアラームを表示する。強調表示は、カートに入れられた食材が適正に選択されたことを示すものであり、例えば表示中の材料リストの該当する材料名の表示色を変えたり、あるいは材料名の背景色を変え他の未チェックの材料とを識別し易くする。また、アラームはカートに入れられた食材（即ち、選択された食材）がメニューの材料として適正でないことをユーザに通知するものである。
（２）第２の発明
第２の発明は、食材案内システムのストアサーバにおいて、食材チェックを行うカート端末に対してメニューリストや材料情報、食材情報を提供するものである。
【００１６】
図２は第２の発明の原理を示すもので、メニューＤＢ手段１１、食材ＤＢ手段１２、メニューリスト送信手段１３、材料情報送信手段１４および食材情報送信手段１５で構成する。
【００１７】
メニューＤＢ手段１１は、メニューに対して使用する材料名を含む材料情報をメニューＤＢ（データベース）として記憶する。
【００１８】
食材情報ＤＢ手段１２は、食材ＩＤに対して食材名を含む食材情報を食材ＤＢとして記憶する。
【００１９】
メニューリスト送信手段１３は、カート端末の要求に応じてメニューＤＢを参照してメニューリストを送信する。
【００２０】
材料情報送信手段１４は、カート端末からユーザが選択したメニューの送信に応じて、このメニューの材料情報をメニューＤＢを参照してカート端末に送信する。
【００２１】
食材情報送信手段１５は、カート端末からの食材ＩＤの送信に応じて、食材ＤＢを参照してこの食材ＩＤの食材情報をカート端末に送信する。
（３）第３の発明
第３の発明は、食材案内システムのカート端末において、カートに入れられた食材を用いたメニューを表示し、それ以降カートに入れられた食材が表示したメニューの材料として適正であるかどうかをチェックするものである。
【００２２】
図３は第３の発明の原理を示すものでメニューリスト表示手段２１、材料リスト表示手段２２、食材情報受信手段２３および適正食材判定手段４で構成する。
【００２３】
メニューリスト表示手段２１は、カートに入れられた第１の食材から食材ＩＤを取得し、この食材ＩＤをストアサーバに送信する。そしてストアサーバから送信した食材ＩＤに対応する食材名を含む食材情報と、この食材を用いたメニューリストを受信して表示する。カートから取得した食材ＩＤが複数個あれば、その複数個の食材を用いたメニューのメニューリストを受信することになる。
【００２４】
材料リスト表示手段２２は、表示したメニューリストからユーザにメニューを選択させ、この選択されたメニューをストアサーバに送信する。そして、ストアサーバからこのメニューで使用する材料の材料情報を受信し材料リストを表示する。
【００２５】
食材情報受信手段２３は、カートに入れられた第２の食材から食材ＩＤを取得し、この食材ＩＤをストアサーバに送信して食材名を含む食材情報を受信する。
【００２６】
適正食材判定手段４は、受信した第２の食材の食材名が材料リスト表示手段２２で表示した材料リストの中にあるかどうかを判定し、ある場合は適正食材と判定して表示している材料リストの該当する材料名を強調表示する。第２の食材の食材名が材料リストに無い場合は、アラームを表示する。この適正食材判定手段４は第１の発明と同じ内容である。
（４）第４の発明
第４の発明は食材案内システムのストアサーバにおいて、最初にカートに入れられた食材に適合するメニューを基にその後にカートに入れられた食材の食材チェックを行うカート端末に対して食材情報や材料情報を提供するものである。
【００２７】
図４は第４の発明の原理を示すもので、メニューＤＢ手段１１、食材ＤＢ手段１２、第１の食材情報送信手段３１、材料情報送信手段１４および第２の食材情報送信手段３２で構成する。
【００２８】
メニューＤＢ手段１１と食材ＤＢ手段１２は、第２の発明と同じ手段である。
【００２９】
第１の食材情報送信手段３１は、カート端末から第１の食材ＩＤの送信に応じて、食材ＤＢを参照してこの第１の食材ＩＤの食材情報をカート端末に送信する。
【００３０】
材料情報送信手段１４は、第２の発明と同じ手段である。
【００３１】
第２の食材情報送信手段３２は、カート端末から第２の食材ＩＤの送信に応じて、食材ＤＢを参照してこの第２の食材ＩＤの食材情報をカート端末に送信する。
（５）第５の発明
第５の発明は第１の発明に基づいたプログラムである。
【発明の効果】
【００３２】
第１の発明により、ユーザが選んだ食材がメニューに適しているかどうかのチェックが自動的に行われるため、不適切な食材を買うことを防止するシステムの提供ができる。
【００３３】
第２の発明により、食材チェックを行うカート端末に対してメニューリストや材料情報、食材情報を提供するシステムの構築できる。
【００３４】
第３の発明により、ユーザが最初に選んだ食材を基にメニューが選択され、それ以降にユーザが選んだ食材がメニューに適しているかどうかのチェックが行われるため、不適切な食材を買うことを防止するシステムの提供ができる。
【００３５】
第４の発明により、ユーザが最初にカートに入れた食材に適合するメニューリストを基にその後にカートに入れられた食材の食材チェックを行うカート端末に対して食材情報や材料情報を提供ができる。
【００３６】
第５の発明により、ユーザが選んだ食材がメニューに適しているかどうかのチェックが行われるため、不適切な食材を買うことが防止されプログラムの提供ができる。
【発明を実施するための最良の形態】
【００３７】
（実施例１）
本発明の第１、第２および第４の発明の実施例について図５から図１５を用いて説明する。
【００３８】
図５は食材案内システムの全体の構成例を示すもので、カート端末１００とストアサーバ３００は無線ＬＡＮ２００を介して接続されている。この構成は店舗内でクローズするシステムをイメージしており、店舗内にはストアサーバと接続された無線ＬＡＮ用のアンテナが設置されており、個々の買い物カートに搭載されたカート端末もストアサーバと通信するためのアンテナが設置されている。また、店舗に陳列されている食材にはＲＦＩＤタグが貼付され、カートに入れられた食材はカート端末に装着されたタグリーダによってこのＲＦＩＤタグの情報を読み取ることができるものとする。
【００３９】
図６は、カート端末１００のシステム構成を示すものである。カート端末１００は、端末全体を制御するＣＰＵ(Central Processing Unit)１１０、ストアサーバと通信するための通信制御部１２０とそのアンテナ１２１、カートに入れられた食材から食材ＩＤを取得するタグリーダ１３１、メニューリストや材料リスト等を表示するディスプレイ１３２、ユーザがメニューの選択等行うタッチパネル１３３、これらの入出力機器を制御する入出力制御部１３０、食材案内カート端末プログラム１４０から構成する。
【００４０】
食材案内カート端末プログラム１４０は更にメニュー選択部１４１、材料リスト表示部１４２、食材ＩＤ取得部１４３およ判定部１４４から構成する。
【００４１】
メニュー選択部１４１は、ストアサーバ３００からメニューリストを受信してディスプレイ１３２に表示し、ユーザにタッチパネル１３３を介して選択させる。第１の発明におけるメニュー選択手段１に相当する。
【００４２】
材料リスト表示部１４２は、ユーザが選択したメニューをストアサーバ３００に送信し、ストアサーバ３００から材料リスト、使用量等を含む材料情報を受信し、ディスプレイ１３２に表示を行う。この材料リスト表示部１４２は、第１の発明における材料リスト表示手段２に相当する。
【００４３】
食材ＩＤ取得部１４３は、ユーザが食材をカートに入れるとタグリーダー１３１が食材に貼付されたＲＦＩＤタグから食材ＩＤを取得し、この食材ＩＤをストアサーバ３００に送信する。そして、ストアサーバ３００からこの食材ＩＤに対応する食材名とパッケージ量の情報を受信する。この食材ＩＤ取得部１４３は、第１の発明における食材情報受信手段３に相当する。
【００４４】
判定部１４４は、受信した食材名が材料リスト中にあり、パッケージ量が使用量を満足するものであれば、ディスプレイ１３２に表示している材料リストの該当する材料名の色を変える。受信した食材名が材料リストになかったり、パッケージ量が不足するようであれば、それらの内容に対するメッセージをユーザに対してアラームとして表示する。この判定部１４４は、第１の発明における適正食材判定手段４に相当する。
【００４５】
次に、ストアサーバ３００のシステム構成例を図７により説明する。ストアサーバ３００は、全体を制御するＣＰＵ３１０、カート端末と通信するための通信制御部３２０とそのアンテナ３２１、食材案内サーバプログラム３３０、メニューに対する材料やその使用量などの情報を記憶したメニューＤＢ３４０および食材ＩＤに対応して食材名やパッケージ量等の情報を記憶した食材ＤＢ３５０から構成する。
【００４６】
次に、メニューＤＢ３４０と食材ＤＢ３５０のデータ例を説明する。図８はメニューＤＢのデータ例で、メニューＩＤ、メニュー名、材料（１）、材料（２）、使用量、推奨、メッセージのフィールドで構成する。メニューＩＤはメニューの情報管理のための識別記号、メニュー名はメニューの名称、材料（１）は広い意味での材料名、材料（２）はより詳細な材料名である。使用量は１人当りの材料の使用量、推奨はその店舗が薦める材料であり材料（１）の同じものの中の１つに必ず〇印が付けられる。そしてメッセージは、ユーザへの販売促進のための告知内容である。材料リストとしてカート端末に表示する場合は、推奨の〇印のついた材料（１）と使用量とを表示するものとする。
【００４７】
図９は食材ＤＢのデータ例を示すもので、食材ＩＤ、食材（１）、食材（２）、パッケージ量、価格等のフィールドで構成する。食材ＩＤは、食材に貼付されたＲＦＩＤタグに記憶された識別情報と同一の情報である。同じ食材であってもパッケージ量が異なれば、食材ＩＤは異なった識別情報が付与されるものとする。食材（１）と食材（２）はメニューＤＢ３４０の材料（１）と材料（２）と同じ内容である。パッケージ量は、その食材の商品としてパッケージされた量で、価格は商品の１パッケージの価格である。
【００４８】
続いて、カート端末における処理フローの例を図１０を用いて説明する。先ず、ユーザがカート端末１００の電源を投入すると、カート端末１００は無線ＬＡＮを介してストアサーバと接続し、メニューリストの情報を受信する。そして、受信したメニューリストをカート端末１００のディスプレイ１３２に表示する。ユーザは表示されたメニューリストから好みのメニューをタッチパネル１３３で選択すると、カート端末１００は選択されたメニュー名の確認と作る料理の人数分の入力を促す画面を表示する。図１１および図１２はこの処理の画面イメージの例を示すものである。図１１は、メニューリストの表示例、図１２はユーザがメニュー選択後の作る料理の人数分の入力を促す画面例である（Ｓ１００、Ｓ１１０）。
【００４９】
カート端末１００は、タッチパネル１３３から入力されたメニュー名をストアサーバ３００に送り、そのメニューの材料情報を受信して材料リストを表示する。材料情報はメニューＤＢ３４０の各フィールドの情報である。そして、この情報のうち推奨にマークが付いた食材（１）と使用量を材料メニューとして表示する。このとき、使用量は先の料理の人数分として入力された値を計算して表示する。図１３は、４人分の使用量の材料リストの表示例を示す。また、関連情報としてメニューＤＢに入力されている情報も合わせて表示している（Ｓ１２０、Ｓ１３０）。
【００５０】
続いて、食材チェックループに入る。ユーザがカートに食材を入れると、カート端末１００のタグリーダー１３１は食材に貼付されたＲＦＩＤタグから食材ＩＤを取得する。この食材ＩＤをストアサーバ３００に送信し、食材ＩＤに対応する食材情報を受信する。食材情報は、食材ＤＢ３５０の各フィールドの情報である。ここで、食材情報と材料情報を照合する。先ず食材情報の食材（１）が材料情報の材料（１）にあるかどうかを調べる。もし、なければメニューに必要な食材ではないので、メニュー以外の買い物かを確認するメッセージをアラームとして表示する。このメッセージに対してユーザがタッチパネル１３２で応答し、メニュー以外の買い物であればそのままカートに置かれ、メニューに対する買い物であれば棚に返却されることになる。図１４にこのアラームの表示例を示す（Ｓ１４０〜Ｓ１６０、Ｓ２１０）。
【００５１】
次に、食材（１）が材料（１）にある場合は次のステップに進み、食材（２）が材料（２）にあるかどうか、を調べる。ここで、食材（２）が材料（２）になかった場合はメニューに不適切の食材であるので、不適切な食材が選ばれたことのメッセージと適切な食材として材料（２）の材料をアラームとして表示する。続いて、食材（２）が材料（２）にある場合において更に材料情報の推奨マークであるかどうかを調べる。食材（２）に等しい材料（２）に推奨のマークが付いていない場合は、推奨のマークが付いた材料（２）の材料を推奨する旨のメッセージをアラームとして表示する。以上で食材としてのチェックは終わり、続いてパッケージ量がメニューの使用量に合うかどうかを調べる。このとき、同じ食材の商品が複数カートに入れられている場合は、パッケージ量は合計した値で使用量と比較される。パッケージ量が必要量に対して不足の場合は、不足であることのアラームを表示する。パッケージ量にも問題がなければ、材料リストの材料名の表示色を変える。図１５は、カートに入れられた食材である鶏肉（ムネ肉）が正しく選択された場合の表示例で、材料名の背景色を変えた例を示している。また、ユーザが鶏肉（ムネ肉）をカートに入れた後の材料リストはカレールーであるので、材料情報のカレールーのメッセージフィールドの情報を表示してユーザを誘導するようにしている（Ｓ１７０〜Ｓ２１０）。
【００５２】
以上カートに入れられた食材毎にＳ１４０からＳ２１０の処理を繰り返す。
【００５３】
（実施例２）
次に本発明の第３および第４の発明の実施例を説明する。実施例１では、ユーザがカート端末１００の電源をいれたときストアサーバ３００からメニューリストを受信するようにした。しかし、実施例２ではカートに入れられた食材を基にその食材を用いたメニューリストを表示させ、そのメニューリストからユーザが選択したメニューに対してカートに入れられた食材のチェックを行うものである。実施例２においても図５〜図７に示すシステムの構成は同一である。処理のフローが異なるので図１６のフローを用いて説明する。
【００５４】
先ず、ユーザがカートに入れた食材から食材ＩＤを取得する。このことは、例えばスーパーマーケットが牛肉の特売を行っていたとき、ユーザは最初にこの牛肉を買うことを決め、次にこの牛肉を使った献立を考える、といった行動パターンに対応するものである。カートに食材が入った状態でカート端末１００の電源を入れると、カート端末１００のタグリーダ１３１はカートに入っている食材から食材ＩＤを取得し、ストアサーバ３００に送信する。そして、ストアサーバ３００からこの食材ＩＤの食材を用いたメニューリストを受信する。このとき、カートに例えば２つの食材が入れられた状態であった場合は、２つの食材を用いたメニューリストがストアサーバ３００から送られ受信する（Ｓ３００、Ｓ３１０）。
【００５５】
以降はそのメニューリストからユーザが好みのメニューを選択し、そのメニューの材料情報をストアサーバ３００から受信し、カートに食材が入れられる度に入れられた食材のチェックを行う。この処理を行うＳ３２０〜Ｓ４２０のステップは実施例１のフローのＳ１１０〜Ｓ２１０のステップと同様である。
【００５６】
以上の実施例に関し、さらに以下の付記を開示する。
（付記１）
ネットワークを介して接続されたストアサーバとカート端末とで構成する食材案内システムであって、
前記カート端末は、
前記ストアサーバからメニューリストを受信して表示し、該メニューリストを基にメニューを選択させるメニュー選択手段と、
前記選択されたメニューを前記ストアサーバに送信し、該ストアサーバから該メニューで使用する材料の材料情報を受信して該材料の材料リストを表示する材料リスト表示手段と、
カートに入れられた食材から食材ＩＤを取得し、該食材ＩＤを前記ストアサーバに送信して該食材ＩＤに対応する食材名を含む食材情報を受信する食材情報受信手段と、
受信した前記食材名が前記表示された材料リストにある場合に適正食材と判定し、該材料リストの該当する材料名の表示を強調表示とし、適正食材でない判定にはアラームを表示する適正食材判定手段と
を備えることを特徴とする食材案内システム。
【００５７】
（付記２）
ネットワークを介して接続されたストアサーバとカート端末とで構成する食材案内システムであって、
前記ストアサーバは、
メニューに対応して使用する材料名を含む材料情報を備えたメニューＤＢを記憶するメニューＤＢ手段と、
食材ＩＤに対応して食材名を含む食材情報を備えた食材ＤＢを記憶する食材ＤＢ手段と、
前記カート端末からの要求に応じて前記メニューＤＢを参照してメニューリストを送信するメニューリスト送信手段と、
前記カート端末から送信されたメニューに応じて、前記メニューＤＢを参照して該メニューに対応する材料情報を該カート端末に送信する材料情報送信手段と、
前記カート端末から送信された食材ＩＤに応じて、前記食材ＤＢを参照して該食材ＩＤに対応する食材情報を該カート端末に送信する食材情報送信手段と、
を備えることを特徴とする食材案内システム。
【００５８】
（付記３）
ネットワークを介して接続されたストアサーバとカート端末とで構成する食材案内システムであって、
前記カート端末は、
カートに入れられた第１の食材から食材ＩＤを取得して該第１の食材ＩＤを前記ストアサーバに送信し、該第１の食材ＩＤに対応する食材名を含む食材情報と該食材名を用いたメニューのメニューリストとを該ストアサーバから受信して表示するメニューリスト表示手段と、
前記表示したメニューリストからメニューを選択させ、選択されたメニューを前記ストアサーバに送信して該メニューで使用する材料の材料情報を受信して該材料の材料リストを表示する材料リスト表示手段と、
カートに入れられた第２の食材から食材ＩＤを取得し、該第２の食材ＩＤを前記ストアサーバに送信して該第２の食材ＩＤに対応する食材名を含む食材情報を受信する食材情報受信手段と、
受信した前記食材名が前記表示された材料リストにある場合に適正食材と判定し、該材料リストの該当する材料名の表示を強調表示とし、適正食材でない判定にはアラームを表示する適正食材判定手段と
を備えることを特徴とする食材案内システム。
【００５９】
（付記４）
ネットワークを介して接続されたストアサーバとカート端末とで構成する食材案内システムであって、
前記ストアサーバは、
メニューに対応して使用する材料名を含む材料情報を備えたメニューＤＢを記憶するメニューＤＢ手段と、
食材ＩＤに対応して食材名を含む食材情報を備えた食材ＤＢを記憶する食材ＤＢ手段と、
前記カート端末から送信された第１の食材ＩＤに応じて、前記食材ＤＢを参照して該第１の食材ＩＤに対応する食材情報を該カート端末に送信する第１の食材情報送信手段と、
前記カート端末から送信されたメニューに応じて、前記メニューＤＢを参照して該メニューに対応する材料情報を該カート端末に送信する材料情報送信手段と、
前記カート端末から送信された第２の食材ＩＤに応じて、前記食材ＤＢを参照して該第２の食材ＩＤに対応する食材情報を該カート端末に送信する第２の食材情報送信手段と
を備えることを特徴とする食材案内システム。
【００６０】
（付記５）
ネットワークを介して接続されたストアサーバとカート端末とで構成する食材案内システムにおける食材案内プログラムであって、
前記カート端末のコンピュータを、
前記ストアサーバからメニューリストを受信して表示し、該メニューリストを基にメニューを選択させるメニュー選択手段と、
前記選択されたメニューを前記ストアサーバに送信し、該ストアサーバから該メニューで使用する材料の材料リストを含む材料情報を受信して該材料リストを表示する材料リスト表示手段と、
カートに入れられた食材から食材ＩＤを取得し、該食材ＩＤを前記ストアサーバに送信して該食材ＩＤに対応する食材名を含む食材情報を受信する食材情報受信手段と、
受信した前記食材名が前記表示された材料リストにある場合に適正食材と判定し、該材料リストの該当する材料名の表示を強調表示とし、適正食材でない判定にはアラームを表示する適正食材判定手段と
として機能させるための食材案内プログラム。
【００６１】
（付記６）
前記材料情報は、材料リストに加えて各材料の使用量を含み、
前記食材情報は、食材名に加えて食材のパッケージ量を含み、
前記適正食材判定手段は、受信した前記食材名が前記材料リストにあり、前記パッケージ量が前記使用量を満たす場合に適正食材と判定し、該材料リストの該当する材料名の表示を強調表示とし、適正食材でない判定にはアラームを表示する
ことを特徴とする付記１または付記３記載の食材案内システム。
【００６２】
（付記７）
前記適正食材判定手段におけるパッケージ量は、同じ食材が複数個カートに入れられた場合に該複数個のパッケージの合計である
ことを特徴とする付記６記載の食材案内システム。
【００６３】
（付記８）
前記メニュー選択手段または前記材料リスト表示手段において、販売促進情報を合わせて表示する
ことを特徴とする付記１記載の食材案内システム。
【図面の簡単な説明】
【００６４】
【図１】第１の発明の原理図である。
【図２】第２の発明の原理図である。
【図３】第３の発明の原理図である。
【図４】第４の発明の原理図である。
【図５】食材案内システムの全体の構成例である。
【図６】カート端末のシステム構成例である。
【図７】ストアサーバのシステム構成例である。
【図８】メニューＤＢのデータ例である。
【図９】食材ＤＢのデータ例である。
【図１０】カート端末における処理フロー例（その１）である。
【図１１】カート端末のメニューリスト表示例である。
【図１２】カート端末の料理人数分の入力画面例である。
【図１３】カート端末の材料リスト表示例（その１）である。
【図１４】カート端末のアラーム表示例である。
【図１５】カート端末の材料リスト表示例（その２）である。
【図１６】カート端末における処理フロー例（その２）である。
【符号の説明】
【００６５】
１    メニュー選択手段
２    材料リスト表示手段
３    食材情報受信手段
４    適正食材判定手段
１１    メニューＤＢ手段
１２    食材ＤＢ手段
１３    メニューリスト送信手段
１４    材料情報送信手段
１５    食材情報送信手段
２１    メニューリスト表示手段
２２    材料リスト表示手段
２３    食材情報受信手段
３１    第１の食材情報送信手段
３２    第２の食材情報送信手段
１００  カート端末
１１０  ＣＰＵ
１２０  通信制御部
１２１  アンテナ
１３０  入出力制御部
１３１  タグリーダ
１３２  ディスプレイ
１３３  タッチパネル
１４０  食材案内カート端末プログラム
１４１  メニュー選択部
１４２  材料リスト表示部
１４３  食材ＩＤ取得部
１４４  判定部
２００  無線ＬＡＮ
３００  ストアサーバ
３１０  ＣＰＵ
３２０  通信制御部
３２１  アンテナ
３３０  食材案内サーバプログラム
３３１  材料情報送信部
３３２  食材情報送信部
３４０  メニューＤＢ
３５０  食材ＤＢ
【図１】
2006202054.tif 000003
【図２】
2006202054.tif 000004
【図３】
2006202054.tif 000005
【図４】
2006202054.tif 000006
【図５】
2006202054.tif 000007
【図６】
2006202054.tif 000008
【図７】
2006202054.tif 000009
【図８】
2006202054.tif 000010
【図９】
2006202054.tif 000011
【図１０】
2006202054.tif 000012
【図１１】
2006202054.tif 000013
【図１２】
2006202054.tif 000014
【図１３】
2006202054.tif 000015
【図１４】
2006202054.tif 000016
【図１５】
2006202054.tif 000017
【図１６】
2006202054.tif 000018